(57)【特許請求の範囲】
【請求項１】
予め決められた利用者単位で専有して使用する複数の専有部側装置と、該複数の専有部側装置を使用する利用者が共用可能な共用部側装置とを備え、
専有部情報を含む固有の識別情報がカード情報として書き込まれる専有部毎の専有部別カードと、固有の識別情報と前記専有部毎の前記専有部別カードの使用順序とが書き込まれる登録用カードとの２種類のカードを用い、
前記専有部側装置は、前記登録用カードから前記固有の識別情報と前記専有部毎の前記専有部別カードの使用順序とを取得して登録するとともに、該登録カードによる登録後に該当する前記専有部別カードからカード情報を取得して登録し、当該専有部別カードに対して既に登録済の前記固有の識別情報と前記専有部別カードの使用順序とを書き込む機能を有し、
前記共用部側装置は、前記専有部側装置と同一の前記固有の識別情報と前記専有部毎の前記専有部別カードの使用順序とを前記登録用カードから取得して登録する機能を有することを特徴とするカードロックシステム。
【請求項２】
前記専有部側装置は、再発行された前記専有部別カードのカード情報を取得して再登録したときに、前記専有部別カードの使用順序を繰り上げて既に登録された前記識別情報とともに前記再発行された前記専有部別カードに書き込む機能を有し、
前記共用部側装置は、前記専有部側装置に再登録された前記専有部別カードから取得したカード情報に応じて前記専有部別カードの使用順序を繰り上げ、旧カードを使用不可に制御する機能を有することを特徴とする請求項１記載のカードロックシステム。
【発明の詳細な説明】
【技術分野】
【０００１】
本発明は、例えばマンション等のように、住居人が各戸単位で専有する専有部と、住居人全員が共用して使用可能な共用部とを有する集合住宅に採用され、例えば磁気カードやＩＣカード等のカード状外部記憶媒体を用いて専有部や共用部を利用可能に登録するカードロックシステムに関するものである。
【背景技術】
【０００２】
近年、ホテルやオフィスビル等の商業施設や公共施設の入出口、集合住宅や一般住宅のエントランスや玄関等にはカード式電気錠が広く普及している。このカード式電気錠は、各所の電気錠毎に予め割り当てられた特定の暗号や施解錠情報等の各種データが記憶されたカード状記憶媒体を鍵カードとして用い、この鍵カードに記憶された各種データ（例えば特定の暗号による施解錠データ）を読み取り、読み取った各種データを予め登録された情報と照合して正当性を判別し、正常に認証した場合のみ錠前の施解錠を行うものである。
【０００３】
このようなカード式電気錠は、ピッキング等の不正な施解錠行為を防止し、且つ、鍵の複製が非常に困難なため、セキュリティー面において信頼されている。また、各鍵カード毎の各種データをホストコンピューターで管理しているため、データ破損等の心配がなく、鍵カードを紛失した場合においても鍵カードを再発行することが可能である。そして、このようなカード式電気錠を用いたカードロックシステムとしては、例えば下記特許文献１に開示される出入管理システムが知られている。
【０００４】
特許文献１に開示される出入管理システム１０１は、図  に示すように、出入管理ゲートとしてのドア１０２と、ドア１０２に取り付けられた電気錠１０３と、ドア１０２を通過しようとする人の個人情報を識別する複数の個人識別装置として作用する複数の磁気カードリーダ１０４および１０５と、これら複数の磁気カードリーダ１０４および１０５に接続され、電気錠１０３を制御するカードコントローラ１０６とを備えて概略構成される。
【０００５】
カードコントローラ１０６は、電気錠１０３に接続された唯一の電気錠駆動部Ｋ（１０４，１０５）と、複数の磁気カードリーダ１０４および１０５のうち何れかが識別した個人情報が、ドア１０３の通過を許可されている人の情報か否かを判定し、通過を許可されている人の情報であれば、電気錠駆動部Ｋ（１０４，１０５）に電気錠１０３を駆動する信号を発生させ、ドア１０３を開にする判定部１０７とを有している。また、カードコントローラ１０６には、管理ソフトウエアを搭載したコンピュータ１０８が通信ケーブル１０９で接続されている。
【特許文献１】特開２００１−２４１２２６号公報
【発明の開示】
【発明が解決しようとする課題】
【０００６】
ところで、この種のカードロックシステムを例えばマンション等の集合住宅に採用する場合、住居人の各戸単位で専有する専有部と、住居人全員が共用する共用部に対して、それぞれ利用者を特定するための識別情報（ＩＤ）の登録を事前に行う必要があるが、通常、これら専有部と共用部とはオフライン状態にあるため、専有部で識別情報の登録（抹消）を行った後、その識別情報を再度共用部にも登録（抹消）しなければならないという課題があった。
【０００７】
すなわち、従来のカードロックシステムでは、識別情報（ＩＤ）を専有部と共用部のそれぞれに必要数分だけ登録するため、登録作業に手間と時間を要していた。また、識別情報（ＩＤ）が記憶されたカードを紛失した場合には、専有部と共用部のそれぞれで識別情報（ＩＤ）の抹消・登録の処理を行う必要がなり、作業に手間がかかっていた。
【０００８】
そこで、本発明は上記問題点に鑑みてなされたものであり、特に集合住宅の居住者全員が共用可能な共用部の登録を簡素化することができるカードロックシステムを提供することを目的とするものである。
【課題を解決するための手段】
【０００９】
上記した目的を達成するために、請求項１に記載されたカードロックシステムは、予め決められた利用者単位で専有して使用する複数の専有部側装置と、該複数の専有部側装置を使用する利用者が共用可能な共用部側装置とを備え、
専有部情報を含む固有の識別情報がカード情報として書き込まれる専有部毎の専有部別カードと、固有の識別情報と前記専有部毎の前記専有部別カードの使用順序とが書き込まれる登録用カードとの２種類のカードを用い、
前記専有部側装置は、前記登録用カードから前記固有の識別情報と前記専有部毎の前記専有部別カードの使用順序とを取得して登録するとともに、該登録カードによる登録後に該当する前記専有部別カードからカード情報を取得して登録し、当該専有部別カードに対して既に登録済の前記固有の識別情報と前記専有部別カードの使用順序とを書き込む機能を有し、
前記共用部側装置は、前記専有部側装置と同一の前記固有の識別情報と前記専有部毎の前記専有部別カードの使用順序とを前記登録用カードから取得して登録する機能を有することを特徴とする。
【００１０】
請求項２に記載されたカードロックシステムは、請求項１のカードロックシステムにおいて、
前記専有部側装置は、再発行された前記専有部別カードのカード情報を取得して再登録したときに、前記専有部別カードの使用順序を繰り上げて既に登録された前記識別情報とともに前記再発行された前記専有部別カードに書き込む機能を有し、
前記共用部側装置は、前記専有部側装置に再登録された前記専有部別カードから取得したカード情報に応じて前記専有部別カードの使用順序を繰り上げ、旧カードを使用不可に制御する機能を有することを特徴とする。
【発明の効果】
【００１１】
本発明のカードロックシステムによれば、専有部側装置で書き込まれた登録用カードの識別情報（ＩＤ）を共用部側装置にも登録するだけで済み、これにより専有部側装置で登録した全てのカード４が共用部側装置でも使用できるようになる。
【００１２】
また、識別情報（ＩＤ）以外にシーケンス情報も登録情報として持っているので、カードを紛失した場合、専有部側装置でカード情報の抹消・登録を行うだけで、カードシーケンス情報が繰り上がる。そして、専有部側装置で再登録されたカードを共用部側装置に使用するだけで、そのカード情報に対応する共用部側のシーケンス情報も繰り上がり、旧カードが使用できなくなる。その結果、紛失したカードの悪用を防ぐことができる。
【発明を実施するための最良の形態】
【００１３】
以下、本発明の最良の形態について、添付した図面を参照しながらそれぞれ説明する。図１は本発明に係るカードロックシステムの概要図、図２は同システムにおいて専有部側装置へのカード登録時の処理手順を説明するための図、図３は同システムにおいて共用部側装置へのカード登録時の処理手順を説明するための図である。
【００１４】
本例のカードロックシステム１は、例えばマンション等の集合住宅、ホテル、オフィスビル等に採用される。ここでは、本例のカードロックシステム１を集合住宅に採用した場合を例にとって説明する。
【００１５】
カードロックシステム１は、図１に示すように、集合住宅に居住する住居人（特定の利用者）の各戸単位で専有する専有部毎に設けられる複数の専有部側装置２（２−１，２−２，…，２−ｎ）と、集合住宅に居住する各戸の住居人全員が共用して利用可能な共用部に設けられる共用部側装置３とを備えている。そして、本例のカードロックシステム１では、専有部側装置２や共用部側装置３へのカード登録時に専有部別カード４と登録用カード５の２種類のカードを用いている。
【００１６】
尚、図１の例では、１つの共用部側装置３を設けた構成として図示したが、住居人全員が共用可能な共用部が複数存在する場合には、各共用部毎に共用部側装置３が設けられる。また、図１の例では、各専有部側装置２毎に１枚の専有部別カード４が発行された場合を図示したが、１つの専有部側装置２に対して複数枚の専有部別カード４を発行することもできる。
【００１７】
まず、専有部側装置２と共用部側装置３へのカード登録に使用される２種類のカード４，５について説明する。
【００１８】
専有部別カード４（４−１，４−２，…，４−ｎ）は、居住が許可された各戸の専有部毎に発行され、後述するカード登録後に各戸の居住者に手渡されて使用されるカードであり、例えば磁気カードやＩＣカード等のカード状記憶媒体で構成される。この専有部別カード４には、集合住宅の建物情報（例えば住所、名称、全戸数など）や使用を許可する専有部情報（例えば部屋番号など）を含む固有の識別情報（ＩＤ）がカード情報として書き込まれている。また、専有部別カード４には、専有部側装置２へのカード登録時に、既に専有部側装置２に登録された登録用カード５のＩＤとシーケンス情報が書き込まれるようになっている。
【００１９】
登録用カード５は、カード登録を行う管理者が管理するカードであり、専有部別カード４と同様に、例えば磁気カードやＩＣカード等のカード状記憶媒体で構成される。この登録用カード５には、集合住宅の物件情報（例えば建物の住所、名称、全戸数など）を含む固有の識別情報（以下、ＩＤとも言う）と、予め決められた法則に従った各専有部毎のカードの使用順序を示すシーケンス情報（例えば通し番号や暗証番号など）とが書き込まれている。
【００２０】
図１及び図２に示すように、各専有部側装置２は、専有部情報読書手段２ａと専有部制御手段２ｂを備えている。専有部情報読書手段２ａは、専有部側装置２に登録する情報として、登録用カード５のＩＤとシーケンス情報、専有部別カード４に記憶されたカード情報を読み込んでいる。また、専有部情報読書手段２ａは、専有部別カード４のカード情報を専有部側装置２に登録した際に、その専有部別カード４に対して、既に登録された登録用カード５のＩＤとシーケンス情報を書き込んでいる。
【００２１】
尚、専有部別カード４を紛失して新たにカードが再発行された場合には、この再発行された専有部別カード４のカード情報を該当する専有部側装置２に登録した際に、既に記憶されているシーケンス情報を次の情報に繰り上げてＩＤとともに専有部別カード４に書き込まれるようになっている。
【００２２】
専有部制御手段２ｂは、専有部情報読書手段２ａによる専有部別カード４のカード情報や登録用カード５のＩＤとシーケンス情報の読み書きを制御しており、カード登録モード時に専有部情報読書手段２ａが読み込んだ専有部別カード４のカード情報や登録用カード５のＩＤとシーケンス情報を記憶（登録）している。
【００２３】
また、専有部制御手段２ｂは、紛失などにより専有部別カード４が再発行されてカード再登録を行う場合、この再発行された専有部別カード４のカード情報と、既に登録されているカード情報とを照合し、両者のカード情報が一致するか否かを判別している。そして、両者のカード情報が一致したときには、既に登録されているシーケンス情報を次の情報に繰り上げてＩＤとともに再発行された専有部別カード４に書き込むように専有部情報読書手段２ａを制御している。
【００２４】
図１及び図３に示すように、共用部側装置３は、共用部情報読書手段３ａと共用部制御手段３ｂを備えている。共用部情報読書手段３ａは、共用部側装置３に登録する登録用カード５のＩＤとシーケンス情報、専有部別カード４に記憶されたカード情報を読み込んでいる。
【００２５】
共用部制御手段３ｂは、共用部情報読書手段３ａによる専有部別カード４のカード情報や登録用カード５のＩＤとシーケンス情報の読み書きを制御しており、カード登録モード時に共用部情報読書手段３ａが読み込んだ登録用カード５のＩＤとシーケンス情報を記憶（登録）している。
【００２６】
また、共用部制御手段３ｂは、紛失などにより専有部別カード４が再発行されて専有部側装置２に再登録された場合、この再登録された専有部別カード４から共用部情報読書手段３ａが読み取ったカード情報に基づいて共用部側装置３のシーケンス情報を次の情報に繰り上げ、紛失した旧カードが使用できないように制御する。
【００２７】
次に、上記構成によるカードロックシステム１のカード登録時の動作について説明する。まず、専有部側装置２へのカード登録時の処理手順について図２を参照しながら説明する。この専有部側装置２へのカード登録時には、対象となる専有部側装置２の専有部情報読書手段２ａに登録用カード５のＩＤとシーケンス情報を読み込ませて登録する（ＳＴ１）。
【００２８】
次に、専有部別カード４−１のカード情報を、対象の専有部側装置２の専有部情報読書手段２ａに読み込ませて登録する（ＳＴ２）。その後、この専有部別カード４−１には、専有部側装置２が既に記憶している登録用カード５のＩＤとシーケンス情報とが専有部情報読書手段２ａによって書き込まれる（ＳＴ３）。
【００２９】
そして、別の専有部別カード４−２，…，４−ｎのカード情報を登録する場合には、該当する専有部装置２毎に上記ＳＴ１〜ＳＴ３の処理を繰り返して行い、専有部別カード４−１，４−２，…，４−ｎに登録用カード５のＩＤとシーケンス情報とを書き込む。
【００３０】
尚、カード登録後に専有部別カード４（４−１，４−１，…，４−ｎ）を紛失した場合には、新たに専有部別カード４が発行され、この再発行された専有部別カード４のカード情報を該当する専有部側装置２の専有部情報読書手段２ａに読み込ませる。これにより、専有部側装置２の専有部制御手段２ｂは、再発行された専有部別カード４のカード情報と、既に登録されているカード情報とを照合して両者が一致するか否かを判別する。そして、両者のカード情報が一致したときには、既に登録されているシーケンス情報を次の情報に繰り上げてＩＤとともに再発行された専有部別カード４に書き込む。
【００３１】
次に、共用部側装置３へのカード登録時の処理手順について図３を参照しながら説明する。この共用部側装置３へのカード登録時には、対象となる共用部側装置３の共用部情報読書手段３ａに登録用カード５のＩＤとシーケンス情報を読み込ませて登録する（ＳＴ１１）。
【００３２】
そして、対象となる専有部側装置２毎に専有部別カード４（４−１，４−２，…，４−ｎ）のカード情報を登録した際、登録用カード５のＩＤが専有部別カード４（４−１，４−２，…，４−ｎ）に既に書き込まれるため、共用部側装置３では登録用カード５のＩＤを登録するだけで、専有部側装置２で登録された全ての専有部別カード４−１，４−２，…，４−ｎが使用できるようになる。
【００３３】
尚、専有部別カード４（４−１，４−２，…，４−ｎ）を紛失した場合は、専有部側装置２で再登録した専有部別カード４のカード情報を共用部側装置３に読み込ませるだけで、このカード情報に基づいて共用部側装置３のシーケンス情報が次の情報に繰り上がり、紛失した旧カードが使用できないように制御される。
【００３４】
これにより、共用部側装置３で個別に専有部別カード４の抹消・登録操作をすることなく、旧カードを使用できなくして新カードを自動更新して登録することができる。
【００３５】
このように、本例のカードロックシステムでは、専有部側装置２にカードの登録を行った際、共用部側装置３で使用するＩＤとシーケンス情報が専有部別カード４に書き込まれる。これにより、専有部側装置２で書き込まれた登録用カード５のＩＤとシーケンス情報を共用部側装置３にも登録するだけで良く、これにより専有部側装置２で登録した全ての専有部別カード４が共用部側装置３でも使用できるようになる。
【００３６】
また、登録情報としてシーケンス情報も持っているので、専有部別カード４を紛失した場合には、専有部側装置２でカード情報を抹消・登録するだけで、カードシーケンス情報が繰り上がる。そして、専有部側装置２で再登録された専有部別カード４を共用部側装置３に使用するだけで、そのカード情報に対応する共用部のシーケンス情報も繰り上がり、旧カードが使用できなくなる。
【００３７】
すなわち、従来では、専有部側及び共用部側の両方でカードの登録・抹消を必要ＩＤ分だけ操作する必要があったが、本例のカードロックシステムによれば、専有部側での登録・抹消だけ（初回のみ共用部側装置３へ１ＩＤ／部屋分だけ登録する）で、以降、共用部側装置３の情報も自動更新されるので、共用部側装置３での登録・抹消操作が無くなる。その結果、紛失したカードの悪用を防ぐことができる。
【図面の簡単な説明】
【００３８】
【図１】本発明に係るカードロックシステムの概要図である。
【図２】本発明に係るカードロックシステムにおいて専有部側装置へのカード登録時の処理手順を説明するための図である。
【図３】本発明に係るカードロックシステムにおいて共用部側装置へのカード登録時の処理手順を説明するための図である。
【符号の説明】
【００３９】
１  カードロックシステム
２（２−１，２−２，…，２−ｎ）  専有部側装置
２ａ  専有部情報読書手段
２ｂ  専有部制御手段
３  共用部側装置
３ａ  共用部情報読書手段
３ｂ  共用部制御手段
４（４−１，４−２，…，４−ｎ）  専有部別カード
５  登録用カード
【図１】
0004764727.tif 000002
【図２】
0004764727.tif 000003
【図３】
0004764727.tif 000004